(57)【特許請求の範囲】
【請求項１】
建物の開口部に配置する枠を躯体側枠部と開口側枠部と通気枠部とで構成し、前記開口側枠部と通気枠部間に、室外側に面して第１の通気部を設け、一方室内側に面して第２の通気部を設け、各通気部間の空間を仕切る仕切壁を設け、その仕切壁に空気の流路を折り曲げて流通させる通気口を設けると共に、前記第１又は第２の通気部に開閉蓋を設けた建物の開口部の通気構造において、
前記通気枠部は、躯体側枠部と略同一寸法に形成されると共に、
上枠の通気枠部はコ字状に成形され、その底面を上枠の躯体側枠部に固定することによって下開き状になり、この下開きコ字状の通気枠部に、上枠の開口側枠部の上端を差入れて、その先端を上枠の通気枠部の隅に当接させ、上枠の開口側枠部の上端を用いて前記仕切壁とし、一方、下枠の開口側枠部の下部に下開きコ字状部を成形し、このコ字状部に下枠の通気枠部の一部を差入れて、その先端平面部を下枠の開口側枠部の隅に当接させ、前記仕切壁としていることを特徴とする建物の開口部の通気構造。
【請求項２】
請求項１に記載の枠を窓枠として、建物の開口部に配置したことを特徴とする建物の開口部の通気構造。
【請求項３】
請求項１に記載の枠をドア枠として、建物の開口部に配置したことを特徴とする建物の開口部の通気構造。
【請求項４】
請求項１に記載の枠を袖枠として、建物の開口部に配置したことを特徴とする建物の開口部の通気構造。
【請求項５】
建物の開口部に配置する方立を本体枠部、通気枠部、部材取付枠部及び方立の室内側を化粧する化粧枠部とで構成し、前記本体枠部と通気枠部間に、室外側に面して第１の通気部を設け、一方前記化粧枠部の側面に、室内側に面して第２の通気部を設けると共に、スライド板により、前記第２の通気部を開閉する建物の開口部の通気構造において、
前記本体枠部の側面にビスを介して前記通気枠部と前記部材取付枠部がそれぞれ取付けられ、前記通気枠部及び部材取付枠部は、本体枠部の幅と略同一の幅であり、また、化粧枠部は、本体枠部の端部と部材取付枠部の端部を覆っていることを特徴とする建物の開口部の通気構造。
【請求項６】
請求項５に記載の方立を袖付き窓の方立として、建物の開口部に配置したことを特徴とする建物の開口部の通気構造。
【請求項７】
請求項５に記載の方立を袖付きドアの方立として、建物の開口部に配置したことを特徴とする建物の開口部の通気構造。
【発明の詳細な説明】
【０００１】
【発明の属する技術分野】
この発明は、窓や玄関等のような建物の開口部の通気構造に関する。
【０００２】
【従来の技術】
建物の開口部の通気構造の内、玄関ドアに関する通気構造の従来例を説明する。
この種の通気構造については、玄関ドアのタイプの相違によって、異なった構造となっていた。
玄関ドアが、袖のないドア単体から構成されている場合には、室内外を直線的に連絡する通気孔をドアの取付枠に設け、これらの通気孔を遮断する遮断手段の操作により、通気を行っていた。
また、玄関ドアが、袖のあるドアから構成されている場合には、袖部分に開き窓又は上下げ窓を入れて、その窓の開閉により通気していた。
【０００３】
【発明が解決しようとする課題】
しかし、ドア単体の上記通気構造の場合、その通気孔が室内外を直線的に開口するため、通気孔が開状態の場合に室外側から室内側を透視できることになってしまい、好ましくなかった。
一方、袖付きドアの通気構造の場合、窓を設けたことにより、その分採光面積を小さくし、デザイン的にも複雑になっていた。
【０００４】
上記問題点は、玄関以外の他の開口部の通気構造においても同様に存在するものであった。
【０００５】
そこで、この発明は上記事情に鑑みてなされたもので、建物の開口部において室外側から室内側を透視できない枠の通気構造を提供すると共に、また採光面積を確保することができ、デザイン的にもシンプルな開口部の通気構造を提供することを目的とする。
【０００６】
【課題を解決するための手段】
上記目的を達成するため、本願発明に係る通気構造は、建物の開口部に配置する枠を躯体側枠部と開口側枠部と通気枠部とで構成し、前記開口側枠部と通気枠部間に、室外側に面して第１の通気部を設け、一方室内側に面して第２の通気部を設け、各通気部間の空間を仕切る仕切壁を設け、その仕切壁に空気の流路を折り曲げて流通させる通気口を設けると共に、前記第１又は第２の通気部に開閉蓋を設けた建物の開口部の通気構造において、前記通気枠部は、躯体側枠部と略同一寸法に形成されると共に、上枠の通気枠部はコ字状に成形され、その底面を上枠の躯体側枠部に固定することによって下開き状になり、この下開きコ字状の通気枠部に、上枠の開口側枠部の上端を差入れて、その先端を上枠の通気枠部の隅に当接させ、上枠の開口側枠部の上端を用いて前記仕切壁とし、一方、下枠の開口側枠部の下部に下開きコ字状部を成形し、このコ字状部に下枠の通気枠部の一部を差入れて、その先端平面部を下枠の開口側枠部の隅に当接させ、前記仕切壁としていることを特徴とする（請求項１に記載の発明）。
【０００７】
従来の枠を機能的に区分すると、枠を躯体側に固定するための躯体側枠部とその枠によって形成された開口にガラス障子等を取付ける開口側枠部からなる。
これに対し、本願発明では、室外及び室内間で空気を流通させる「通気枠部」を加え、且つ前記開口側枠部との間に、室外側に面して第１の通気部を、一方室内側に面して第２の通気部をそれぞれ設け、各通気部間の仕切壁に設けた通気口により、空気の流路を折り曲げることができるので、室外側から室内側を透視できない枠の通気構造を提供することができる。
【０００８】
上記枠を窓枠として、建物の開口部に配置してもよいし、またドア枠として、建物の開口部に配置してもよい（請求項２及び３に記載の発明）。
【０００９】
さらに、上記枠を袖枠として、建物の開口部に配置してもよい（請求項４に記載の発明）。
例えば、窓或いはドアの片袖枠或いは両袖枠に上記枠を配置すれば、採光面積を確保することができ、デザイン的にもシンプルな開口部の通気構造にすることができる。
【００１０】
上記課題を解決するため、本願発明に係る通気構造は、建物の開口部に配置する方立を本体枠部、通気枠部、部材取付枠部及び方立の室内側を化粧する化粧枠部とで構成し、前記本体枠部と通気枠部間に、室外側に面して第１の通気部を設け、一方前記化粧枠部の側面に、室内側に面して第２の通気部を設けると共に、スライド板により、前記第２の通気部を開閉する建物の開口部の通気構造において、前記本体枠部の側面にビスを介して前記通気枠部と前記部材取付枠部がそれぞれ取付けられ、前記通気枠部及び部材取付枠部は、本体枠部の幅と略同一の幅であり、また、化粧枠部は、本体枠部の端部と部材取付枠部の端部を覆っていることを特徴とする（請求項５に記載の発明）。
【００１１】
従来の方立の構成を機能的に区分すると、左右を開口とする柱としての本体枠部と左右いずれかの空間にガラス障子等を取付ける部材取付枠部と化粧枠部等からなる。
これに対し、本願発明では、室外及び室内間に空気を流通させる「通気枠部」を加え、且つ前記本体枠部との間に、室外側に面して第１の通気部を、前記化粧枠部の側面に第２の通気部をそれぞれ設けたので、化粧枠部が、上記仕切壁と同様に作用し、空気の流路を折り曲げる。このことによって、室外側から室内側を透視できない開口部の通気構造を提供することができる。
【００１２】
上記方立を袖付き窓の方立として、建物の開口部に配置してもよいし、袖付きドアの方立として、建物の開口部に配置してもよい（請求項６又は請求項７に記載の発明）。
これらの発明によれは、採光面積を確保することができ、デザイン的にもシンプルな開口部の通気構造にすることができる。
さらに、袖の幅が狭くても通気構造を設けることができるメリットもある。
【００１３】
【発明の実施の形態】
本発明に係る建物の開口部の通気構造について、図面を参照しつつ、詳細に説明する。
図１及び図２は、建物の開口部の上下枠に、本発明の通気構造を実施する場合の形態を示したもので、図１（イ）は、室内側から見た場合の枠の要部正面図、図１（ロ）は、図１（イ）の矢視断面図である。
図２（イ）は、上記通気構造を構成する開閉蓋の操作金具を取付けた竪枠の横断同図、図２（ロ）は、図２（イ）における矢視方向の側断面図である。
【００１４】
図１に示したように、枠としての上枠１は、躯体側に固定される躯体側枠部１０と、開口部２に臨む開口側枠部１１と、室外と室内間で空気を流通させる通気枠部１２とで構成されている。
そして、前記開口側枠部１１と通気枠部１２間の室外側に第１の通気部（以下、室外側通気部１３）が、室内側に第２の通気部（以下、室内側通気部１４）が設けられており、各通気部１３，１４を仕切る仕切壁１５を前記開口側枠部１１の一部に設け、その仕切壁１５の所定位置に通気口１６を設けている。
前記通気口１６には、防虫のためネット３が張られ、また前記室内側通気部１４には後述するように、開閉蓋４が設けられている。
【００１５】
前記躯体側枠部１０は、開口部２の開口寸法に合わせて長尺状に成形され、図１（ロ）に図示したように、その一端をビス等で躯体側に固定し、また他の一端を躯体側に固定した化粧枠５に支持させている。
【００１６】
前記躯体側枠部１０には、ネジ等を介して前記通気枠部１２が固定されている。該通気枠部１２は、前記躯体側枠部１０と略同一寸法によって且つコ字状に成形され、その底面１２イを前記躯体側枠部１０に固定することによって、下開き状になっている。
【００１７】
この下開きコ字状の通気枠部１２に、前記開口側枠部１１の一部（上端１１イ）を差入れて、その先端を前記通気枠部１２の隅に当接させている。
そして、前記通気枠部１２との間で、各枠部の長手方向に沿って室外側通気１３部及び室内側通気部１４を形成すると共に、前記開口側枠部１１の上端１１イを用いて室内側通気部１４と室外側通気１３部間の空間を仕切る仕切壁１５としている。
仕切壁１５の上部には、枠の長手方向に沿って所定間隔で、複数個の通気口１６，１６…が設けられ、各通気口１６毎にネット３，３…を張っている。
【００１８】
前記室内側通気部１４には、その通気部を開閉する開閉蓋４が取付けられており、その開閉蓋４は、図２に示すような操作手段によって開閉できるようになっている。
前記操作手段は、上下枠の端部に固定される竪枠６に配置された操作金具４０と、その操作金具４０の摘み４１に一端が固定されると共に、他端が前記竪枠６内を通って、ガイド４２を介して前記開閉蓋４の上部に至り、開閉蓋４に固定されているワイヤ４３からなっている。
前記開閉蓋４の下部は、前記開口側枠部１１に回動可能に取付けられている軸部４４となっている。
そして、前記摘み４１を上方にスライドさせると、その自重により前記軸部４４を中心に前記室内側通気部１４を開放する方向に、開閉蓋４が倒れるようになっている。
前記摘み４１には、前記開閉蓋４がその自重により倒れないように、操作金具４０に対するストッパー突起（図示せず）が設けられている。なお、前記開閉蓋４を室内側通気部１４ではなく、室外側通気部１３に設けてもよい。
【００１９】
前記操作金具４０により、前記開閉蓋４を「開放」にした場合、前記室外側通気部１３から入った空気は、図１（ロ）に図示したように、前記仕切壁１５の下部から上方に導かれ、通気口１６を通って通気枠部１２内を折れ曲がるような流路に従い、前記室内側通気部１４から室内に入る。よって、上記構成の枠によれば、室外側から室内側を透視されることがない枠の通気構造を提供することができる。
また、雨天の際に、前記開閉蓋４を「開放」にしても、雨水は、前記仕切壁１５やその内壁に設けられた突起１２ロによりはね返されて、室内側に浸入することはなく、雨仕舞いに関しても優れた構造となっている。
【００２０】
本発明に係る枠としての下枠７も、図１に示すように躯体側枠部１０と開口側枠部１１と通気枠部１２とで構成されている点で、上記上枠１と同一の構成であるが、各枠部の構成に関し、次の点で異なる。
即ち、前記開口側枠部１１の下部に下開きコ字状部１１ロを成形し、このコ字状部に前記通気枠部１２の一部を差入れて、その先端平面部１２ハを前記開口側枠部１１の隅に当接させ、各通気部１３，１４間の空間を仕切る仕切壁１５とし、また通気枠部１２に前記開閉蓋４を回転可能に取り付けている点である。
その他の構成は、前記上枠１と同一であって、上記構成の下枠７においても、前記上枠１と同様な作用効果を奏することができる。
【００２１】
前記各枠部１０，１１，１２は、押出形材により個別に成形し、ネジ等によりそれぞれ固定して一体化しているが、躯体側枠部１０と通気枠部１２を一体的に成形してもよいし、或いは通気枠部１２と開口側枠部１１を一体的に成形してもよい。
【００２２】
上記構成の枠は、窓の上下枠のみならず、左右竪枠に用いることもできるし、ドア単体用のドア枠に用いてもよい。
さらに、図３（イ）のように片袖枠の上下枠１，７として用いてもよいし、図３（ロ）のように両袖枠の上下枠１，７に用いてもよい。
このように、片袖枠或いは両袖枠として前記上下枠１，７を配置すれば、採光面積を確保することができ、デザイン的にもシンプルな開口部の通気構造にすることができる。また、袖部分に上下窓用の枠を組み込む従来例に比べて、低コストとなり、さらに防犯性も高まる。
なお、図３に示す「４０」は、前記操作金具４０と同一構成の操作金具である。
【００２３】
次に、図４及び図５に基づいて建物の開口部２の方立に本発明の通気構造を実施する場合の形態を説明する。
図４は、前記方立の横断面図、図５（イ）は、室外側通気部を設けた方立の側面図，同図（ロ）は、前記方立を構成するスライド板の構成例図である。
【００２４】
図４に示したように、前記方立８は、本体枠部８０と通気枠部８１と部材取付枠部８２と方立の室内側を化粧する化粧枠部８３とで構成されている。
そして、前記本体枠部８０と通気枠部８１間に、室外側に面して第１の通気部（室外側通気部１３）を設け、一方前記化粧枠部８３の側面に室内側に面して第２の通気部（室内側通気部１４）を設ける。
この室内側通気部１４を開閉するスライド板９は、化粧枠部８３の側面に設けた側壁８３イとヒレ８３ロ，８３ロとで上下方向にスライド可能に取付けられている。
【００２５】
前記本体枠部８０は、建物の開口部２の左右枠間に位置するもので、その一側面は、例えばドア枠として機能し、他側面にはビスを介して前記通気枠部８１と前記部材取付枠部８２が、それぞれ取付けられている。
【００２６】
前記通気枠部８１及び部材取付枠部８２は、本体枠部８０の幅と略同一の幅で、且つ高さ寸法も略同一に成形されている。
そして、前記本体枠部８０と前記通気枠部８１間に形成された室外側通気部１３は、前記本体枠部８０の高さ寸法と同一の高さ寸法を備えた、上下方向の開口となっている。
なお、前記部材取付枠部８２には、ガラス障子が取付けられている。
【００２７】
前記本体枠部８０の端部と前記部材取付枠部８２の端部を室内側から覆うように、前記化粧枠部８３がネジ等により、取付けられている。また、この化粧枠部８３は、前記室外側通気部１３から入った空気を、室内側通気部１４に向かって折り曲げる流路をも構成するものである。
【００２８】
前記室外側通気部１３は、図５（イ）に示すように、前記化粧枠部８３の側面に所定間隔毎の孔９０，９０…を設けることによって構成されている。
そして、図５（ロ）に示すように前記孔９０に対応する切欠き９１を設けたスライド板９を、その摘み９２により上下にスライドさせ、前記孔９０と切欠き９１を重ねたり（図５（イ）の斜線を施した位置）、ずらすこと（図５（イ）の点線を施した位置）により、前記室内側通気部１４の開閉を行うようになっている。
なお、ネット３は、前記スライド板９の切欠き９１に取付けているが、前記孔９０に取り付けてもよい。
【００２９】
上記構成によれば、前記摘み９２により、前記スライド板９を「開」にした場合、前記室外側通気部１３から入った空気は、図４に図示したように前記化粧枠部８３により前記室内側通気部１４に向かって折れ曲がるような流路に従い、前記室内側通気部１４の各孔９０，９０…，切欠き９１，９１…から室内に入る。よって、上記構成の方立８によれば、室外側から室内側を透視されることがない方立８の通気構造を提供することができる。
また、雨天の際に、前記スライド板９を「開」にしても、雨水は、前記本体枠部８０や通気枠部８１の突起、化粧枠部８３により、その浸入が阻止されるので、雨仕舞いにも優れた通気構造となっている。
【００３０】
上記構成の方立８は、開口部に連続的な窓を形成する連窓構造、例えば片袖開き窓部に用いてもよいし、両袖開き窓部に用いてもよい。さらに、図６（イ）のように片袖付のドア枠の方立８に用いてもよいし、図６（ロ）のように両袖付のドア枠の方立８に用いてもよい。
このように片袖枠或いは両袖枠を備えたドア枠の方立として、前記方立８を配置すれば、採光面積を確保することができ、デザイン的にもシンプルな開口部の通気構造にすることができる。また、袖部分に上下窓用の枠を組み込む従来例に比べて、低コストとなり、さらに防犯性も高まる。
【００３１】
【発明の効果】
請求項１乃至請求項４に記載の各発明によれば、枠の構成要素として、室外及び室内間で空気を流通させる「通気枠部」を加え、且つ前記開口側枠部との間に、室外側に面して第１の通気部を、一方室内側に面して第２の通気部をそれぞれ設け、各通気部間の仕切壁に設けた通気口により、空気の流路を折り曲げることができるので、室外側から室内側を透視されることがない枠の通気構造を提供することができる。
また、空気の流路を折り曲げることは、雨水の浸入を阻止できることにもなり雨仕舞いも優れている。
【００３２】
特に、請求項４に記載の発明によれば、片袖枠或いは両袖枠に上記枠を配置したので、採光面積を確保することができ、デザイン的にもシンプルな開口部の通気構造にすることができる。また、袖部分に上下窓用の枠を組み込む従来例に比べて、低コストとなり、さらに防犯性も高まる。
【００３３】
請求項５乃至７に記載の各発明によれば、方立の構成要素として、室外及び室内間に空気を流通させる「通気枠部」を加え、且つ前記本体枠部との間に、室外側に面して第１の通気部を、前記化粧枠部の側面に第２の通気部をそれぞれ設けたので、化粧枠部が、上記仕切壁と同様に作用し、空気の流路を折り曲げることにより、室外側から室内側を透視されることがない枠の通気構造を提供することができ、また雨仕舞いも優れている。
特に請求項７に記載の発明によれば、採光面積を確保することができ、デザイン的にもシンプルな開口部の通気構造にすることができる。また、袖部分に上下窓用の枠を組み込む従来例に比べて、低コストとなり、防犯性も高まる。
さらに、袖の幅が狭くても通気構造を設けることができるメリットもある。
【図面の簡単な説明】
【図１】  建物の開口部の枠に、本発明の通気構造を実施する場合の形態を示したもので、（イ）は、室内側から見た場合の枠の要部正面図、（ロ）は、図１（イ）の矢視断面図である。
【図２】  （イ）は、上記通気構造を構成する開閉蓋の操作金具を取付けた開口部の竪枠の横断同図、（ロ）は、図２（イ）における矢視方向の側面図である。
【図３】  （イ）は、実施形態に係る枠を片袖枠の上下枠として用いた場合の片袖付きドア枠の正面図、（ロ）は、同枠の両袖付きドア枠の正面図である。
【図４】  実施形態に係る方立の横断面図、
【図５】  （イ）は、方立ての側面図、（ロ）は、前記方立を構成するスライド板の構成例図である。
【図６】  （イ）は、実施形態に係る方立を片袖枠付きドア枠の方立として用いた場合の片袖付きドア枠の正面図、（ロ）は、同方立の両袖付きドア枠の正面図である。
【符号の説明】
１      上枠
１０    躯体側枠部
１１    開口側枠部
１２    通気枠部
１３    第１の通気部
１４    第２の通気部
１５    仕切壁
１６    通気口
２      開口部
３      ネット
４      開閉蓋
４０    操作金具
４１    摘み
４２    ガイド
４３    ワイヤ
４４    軸部
５      化粧枠
６      竪枠
７      下枠
８      方立
８０    本体枠部
８１    通気枠部
８２    部材取付枠部
８３    化粧枠部
【図１】
0004034422.tif 000002
【図２】
0004034422.tif 000003
【図３】
0004034422.tif 000004
【図４】
0004034422.tif 000005
【図５】
0004034422.tif 000006
【図６】
0004034422.tif 000007